(57)【要約】【課題】  自由な発想と遊び心で作ることができる新しい形状のうちわを提供する。【解決手段】  うちわの柄１に弓竹２を挿入し、両端部を耳連結具４にそれぞれ挿入固定する。穴付き弓竹３の両端部を耳連結具４にそれぞれ挿入固定して、弓竹付き柄を構成する。弓竹２と穴付き弓竹３の長さの組合せで数多くの扇部形状作ることができる。扇骨Ａ５を穴付き弓竹３の穴に挿入通過して、柄１の頭部１ａ外周の穴に挿入固定する。扇骨Ｂ６を穴付き弓竹３の穴に挿入して穴止まりとする。各部品を構成したうちわの骨組みに新しい形状の図柄１０、紐１１、扇骨Ａ５，及び、扇骨Ｂ６を貼り合せ、切断仕上げすることで、新しい形状のうちわを作り上げる。【選択図】図１
2014045843.tif 000002
【特許請求の範囲】
【請求項１】
柄、弓竹、穴付き弓竹、及び、耳連結具で弓竹付き柄を構成して、弓竹付き柄に扇骨を挿入して扇部を構成した新しい形状のうちわ。
【請求項２】
柄の頭部に弓竹を挿入する穴と柄の頭部外周に扇骨を挿入する穴を設けた請求項１記載のうちわ。
【請求項３】
穴付き弓竹の穴に挿入して、柄の頭部外周の穴に挿入する扇骨と穴付き弓竹の穴に挿入止まりの扇骨で扇部を構成する請求項１記載のうちわ。
【請求項４】
穴付き弓竹の穴に挿入して、柄の頭部外周の穴に挿入する扇骨と穴付き弓竹の穴に挿入止まりの扇骨と穴付き弓竹の穴に挿入して、弓竹の内側の端面止めを組み合せた扇部を構成する請求項１記載のうちわ。
【請求項５】
扇部外周部の創作図柄の両面間と扇骨端部間を紙、天然繊維、又は合成繊維の紐を連続して挿入貼りつけて、扇骨とともに創作形状に切断仕上げした請求項１記載のうちわ。
【請求項６】
柄の頭部外周に扇骨を挿入する穴を設けて、扇骨の組合せでひとつの柄にふたつの扇部を構成するうちわ
【発明の詳細な説明】
【技術分野】
【０００１】
本発明は、自由な発想と遊び心で作ることができる新しい形状のうちわに関する。
【背景技術】
【０００２】
従来のうちわは、涼を取る手段として使われている。及び、大量に生産され宣伝用として提供される。話題を提供するために娯楽性を取入れたうちわも提案されている。（特許文献１参照）
しかし、形状的には大きな変化がない。
【先行技術文献】
【特許文献】
【０００３】
【特許文献１】特開２０１２−０００４０８号公報
【発明の概要】
【発明が解決しようとする課題】
【０００４】
本発明は、従来からなんの変化のないうちわの形状をかえて、柄、扇部を新しい形状の骨組み構成にしたうちわを提供することを目的とするものである。
【課題を解決するための手段】
【０００５】
本発明は、柄に弓竹を挿入して、弓竹の両端と穴付き弓竹の両端をそれぞれ耳連結具で連結固定して、弓竹付き柄を構成する。弓竹付き柄の穴付き弓竹部の穴に扇骨を挿入する。一部の扇骨は、穴付き弓竹を貫通して柄の頭部外周に挿入する。ほかの扇骨は、穴付き弓竹の穴止まり固定の扇部を構成する。又は、穴付き弓竹の穴止まり固定と穴付き弓竹の穴に挿入して弓竹の内側の端面止めを組み合せた扇部を構成する。弓竹付き柄に扇骨を挿入構成したうちわの骨組みに新しい形状の創作図柄と紙、天然繊維、又は合成繊維の紐を貼り、扇骨とともに創作形状に切断仕上げた、新しい形状のうちわである。
【０００６】
弓竹を使わないうちわは、柄の頭部外周に扇骨を挿入する穴を設けて、外周形状した扇骨の両端を頭部外周の穴に挿入し、頭部両側にそれぞれ扇部を形成する。扇骨を頭部外周の穴に挿入して、他端を扇部外周の扇骨内面側に止まり固定する。ひとつの柄にふたつの扇部を構成した新しい形状のうちわである。
【発明の効果】
【０００７】
自由な発想で柄、弓竹、扇骨、耳連結具を自由に形どり構成することで新しい形状のうちわを作ることができる。
各部品の素材の特性を教示し、新しい物を作りだす想像力を養う教育教材となる。
親子で考え作ることができるうちわキットとなる。
【図面の簡単な説明】
【０００８】
【図１】本発明の第１実施例であるうちわを示す平面図である。
【図２】本発明の第２実施例であるうちわの骨組を示す平面図である。
【図３】本発明の第３実施例であるうちわの骨組を示す平面図である。
【発明を実施するための形態】
【０００９】
以下、図面を参照して本発明の実施形態を示す。
【００１０】
図１において、柄１の頭部１ａの下部に弓竹２が挿入する穴と頭部１ａの外周に扇骨Ａ５を挿入する穴を設ける。柄１に弓竹２を挿入し左右が同じ長さに調整固定する。弓竹２の両端部と穴付き弓竹３の両端部をそれぞれ耳連結具４に挿入し形状調整して固定する。以上のように構成した弓竹付き柄の穴付き弓竹３の穴に扇骨Ａ５を挿入通過し、頭部１ａの外周に設けた穴に挿入固定する。扇骨Ｂ６は、穴付き弓竹３の穴に挿入固定してうちわの骨組を形成する。扇部の骨組みに新しい形状の創作図柄１０を貼り合わす。扇部外周面部の創作図柄１０の両端面間と扇骨端部間を紐１１を連続して挿入貼りつけ、創作形状に切断仕上げすることで、より強く、危なくないように構成した第１実施例のうちわである。
【００１１】
図２は、前述の図１の構成とほぼ同一内容で、柄１の頭部１ａの下部に弓竹２が挿入する穴と頭部１ａの外周に扇骨Ａ５を挿入する穴を設ける。柄１に弓竹２を挿入し左右が同じ長さに調整固定する。弓竹２の両端部と穴付き弓竹３の両端部をそれぞれ耳連結具４に挿入し形状調整して固定する。以上のように構成した弓竹付き柄の穴付き弓竹３の穴に扇骨Ａ５を挿入通過し、頭部１ａの外周に設けた穴に挿入固定する。扇骨Ｂ６は、一部を穴付き弓竹３の穴に挿入固定する。一部を穴付き弓竹３の穴に挿入通過し、弓竹２の内側に端面止めとする骨組みを構成した第２実施例のうちわである。
【００１２】
第３図は、柄１の頭部１ａの外周部に扇骨用の穴を設けている。扇骨Ｃ７は、新しい形状に熱成形して、両端を柄１の頭部１ａに挿入固定する。扇骨Ｄ８、扇骨Ｅ９は新しい形状の面積配分を考慮して熱成形した曲線形状で、又は、直線形状で内面側に固定する。このような扇骨の組合せでひとつの柄にふたつの扇部の骨組みを構成した第３実施例のうちわである。
【００１３】
上述のうちわの骨組み構成となる、柄、弓竹、穴付き弓竹、耳連結具、扇骨の各部品は、竹、又は、プラスチックで成形されている。
【符号の説明】
【００１４】
１    柄
１ａ  頭部
２    弓竹
３    穴付き弓竹
４    耳連結具
５    扇骨Ａ
６    扇骨Ｂ
７    扇骨Ｃ
８    扇骨Ｄ
９    扇骨Ｅ
１０    創作図柄
１１    紐
【図１】
2014045843.tif 000003
【図２】
2014045843.tif 000004
【図３】
2014045843.tif 000005
【手続補正書】
【提出日】平成25年4月23日(2013.4.23)
【手続補正１】
【補正対象書類名】明細書
【補正対象項目名】０００５
【補正方法】変更
【補正の内容】
【０００５】
本発明は、柄に弓竹を挿入して、弓竹の両端と穴付き弓竹の両端をそれぞれ耳連結具で連結固定して、弓竹付き柄を構成する。弓竹付き柄の穴付き弓竹部の穴に扇骨を挿入する。一部の扇骨は、穴付き弓竹を貫通して柄の頭部外周に挿入する。ほかの扇骨は、穴付き弓竹の穴に挿入止まりの扇部を構成する。又は、扇骨を穴付き弓竹の穴に挿入固定と穴付き弓竹の穴に挿入貫通し、弓竹の内側に端面止めとする扇部を構成する。弓竹付き柄に扇骨を挿入構成したうちわの扇部外周部に紙、天然繊維、又は合成繊維の紐を配置し、両面の創作図柄で挿み貼り合わせて、創作形状に扇骨とともに切断仕上げた、新しい形状のうちわである。
【手続補正２】
【補正対象書類名】明細書
【補正対象項目名】０００６
【補正方法】削除
【補正の内容】
【手続補正３】
【補正対象書類名】明細書
【補正対象項目名】０００８
【補正方法】変更
【補正の内容】
【０００８】
【図１】本発明の第１実施例であるうちわを示す平面図である。
【図２】本発明の第２実施例であるうちわの骨組を示す平面図である。
【手続補正４】
【補正対象書類名】明細書
【補正対象項目名】００１０
【補正方法】変更
【補正の内容】
【００１０】
図１において、柄１の頭部１ａの下部に弓竹２が挿入する穴と頭部１ａの外周に扇骨      Ａ５を挿入する穴を設ける。柄１に弓竹２を挿入し左右が同じ長さに調整固定する。
弓竹２の両端部と穴付き弓竹３の両端部をそれぞれ耳連結婦４に挿入し形状調整して固定する。以上のように構成した弓竹付き柄の穴付き弓竹３の穴に扇骨Ａ５を挿入貫通し、頭部１ａの外周に設けた穴に挿入固定する。扇骨Ｂ６は、穴付き弓竹３の穴に挿入固定してうちわの骨組を形成する。扇部の骨組みに新しい形状の創作図柄１０を貼り合わす。扇部外周部に紙、天然繊維、又は合成繊維の紐１１を配置し、両面の創作図柄１０で挿み貼り付けて、創作形状に切断仕上げすることで、より強く、危なくないように構成した第１実施例のうちわである。
【手続補正５】
【補正対象書類名】明細書
【補正対象項目名】００１１
【補正方法】変更
【補正の内容】
【００１１】
図２は、前述の図１の構成とほぼ同一内容で、柄１の頭部１ａの下部に弓竹２が挿入する穴と頭部１ａの外周に扇骨Ａ５を挿入する穴を設ける。柄１に弓竹２を挿入し左右が同じ長さに調整固定する。弓竹２の両端部と穴付き弓竹３の両端部をそれぞれ耳連結具４に挿入し形状調整して固定する。以上のように構成した弓竹付き柄の穴付き弓竹３の穴に扇骨Ａ５を挿入貫通し、頭部１ａの外周に設けた穴に挿入固定する。扇骨Ｂ６は、一部を穴付き弓竹３の穴に挿入固定する。扇骨Ｂ６の一部を穴付き弓竹３の穴に挿入貫通し、弓竹２の内側に端面止めとする骨組みを構成した第２実施例のうちわである。
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】
１    柄
１ａ  頭部
２    弓竹
３    穴付き弓竹
４    耳連結具
５    扇骨Ａ
６    扇骨Ｂ
１０    創作図柄
１１    紐
【手続補正８】
【補正対象書類名】特許請求の範囲
【補正対象項目名】全文
【補正方法】変更
【補正の内容】
【特許請求の範囲】
【請求項１】
柄、弓竹、穴付き弓竹、及び耳連結具で弓竹付き柄を構成し、構成した弓竹付き柄に扇骨を挿入し扇部を構成する新しい形状のうちわ。
【請求項２】
柄の頭部に弓竹を挿入する穴と、柄の頭部外周に扇骨を挿入する穴とで柄を構成することを特徴とする請求項１記載のうちわ。
【請求項３】
穴付き弓竹の穴に挿入し、柄の頭部外周部の穴に挿入する扇骨と、穴付き弓竹の穴に挿入止まりの扇骨とで扇部を構成することを特徴とする請求項１記載のうちわ。  
【請求項４】
穴付き弓竹の穴に挿入し、柄の頭部外周の穴に挿入する扇骨と、穴付き弓竹の穴に挿入止まりの扇骨と、穴付き弓竹の穴に挿入貫通し、弓竹の内側に端面止めする扇骨とで扇部を構成することを特徴とする請求項１記載のうちわ。
【請求項５】
扇部外周部に紙、天然繊維、又は合成繊維の紐を配置し、両面の創作図柄で挿み貼り
合せて、創作形状に扇骨とともに切断仕上げることを特徴とする請求項１記載のうちわ。
【手続補正９】
【補正対象書類名】図面
【補正対象項目名】図３
【補正方法】削除
【補正の内容】